Podtech/llm-jp-corpus-v4-ja_patent huggingface dataset:
(57)【要約】【課題】  空気の圧力により飲料用ペットボトル（１）内の飲料を外部に供給するペットボトル用電動エアポンプサーバーを提供する。【解決手段】  飲料用ペットボトル（１）の外部から電動で稼働するエアポンプ（２）で空気を注入することで発生した圧力を利用し、内部の飲料を外部に供給することを特徴とするペットボトル用電動エアポンプサーバーである。【選択図】図２
2019064737.tif 000002
【特許請求の範囲】
【請求項１】
飲料用ペットボトル（１）の外部から電動で稼働するエアポンプ（２）で空気を注入することで発生した圧力を利用し、内部の飲料を外部に供給することを特徴するペットボトル用電動エアポンプサーバーである。
【請求項２】
空気の注入管及び、飲料の供給管は、飲料用ペットボトル（１）の開口部を通過させ、空気の注入及び飲料を供給する為に必要な部材の取り付けは、飲料用ペットボトル（１）の開口部のネジ部を利用し装着することを特徴とするペットボトル用電動エアポンプサーバーである。
【発明の詳細な説明】
【技術分野】
【０００１】  本発明は、空気の圧力によりペットボトル内の飲料を外部に供給するペットボトル用エアポンプサーバーに関するものである。
【発明の概要】
【発明が解決しようとする課題】
【０００２】  通常ペットボトル内の飲料を摂取する際には、ペットボトルのキャップを開け持ち上げて注ぐ必要があり、特に容量が多く重いペットボトルを持ち上げることは、力の弱い者にとっては負担であり、手を滑らしてこぼしてしまったり、落下させる危険性を伴う、また飲料摂取時には、キャップを開け閉めする手間も発生する。
本発明は、これらの問題点を解決するためになされたものである。
【課題を解決するための手段】
【０００３】  飲料用ペットボトル（１）の外部から電動で稼働するエアポンプ（２）で空気を注入することで発生した圧力を利用し、内部の飲料を外部に供給する。
本発明は、以上を特徴とするペットボトル用電動エアポンプサーバーである。
【発明の効果】
【０００４】（イ）電動構造なので、ボタンスイッチ（８）を押す程度の微量の力で飲料用ペットボトル（１）内の飲料を容易に注ぐことが出来る。
（ロ）力の弱い子供や女性、老人などが重い状態の飲料用ペットボトル（１）を持ち上げることなく内部の飲料を注ぐことが出来る。
（ハ）飲料を摂取する際のキャップの開け閉めの手間を軽減出来る。
（ニ）パーティーやバーベキューなど、頻繁に飲料を飲む場面で役立つ。
（ホ）コンパクトな形状により、冷蔵庫のドアポケットにも装着した状態で収納出来、収納した状態でも飲料を注ぐことも出来る。
【図面の簡単な説明】
【０００５】
【図１】本発明の構成部品の概略図である。
【図２】本発明の装着時の概略図である。
【発明を実施するための形態】
【０００６】  本発明は、飲料用ペットボトル（１）の外部からエアポンプ（２）により空気を注入し、その際に生じた内部の空気の圧力により飲料用ペットボトル（１）内の飲料を外部へ供給する。
以下、本発明の実施形態について説明する。
本発明は、ネックホルダー（３）チューブキャップ（４）本体（５）から構成されネックホルダー（３）を飲料用ペットボトル（１）の首部分に取り付け、チューブキャップ（４）を飲料用ペットボトル（１）の開口部のネジ部を利用し取り付ける。本体（５）とネックホルダー（３）を結合させ、本体（５）の空気注入口（６）とチューブキャップ（４）の空気注入用チューブ（７）と結合する。
本発明は以上のような構成である。
本発明を使用するときは、本体（５）のボタンスイッチ（８）を押し通電させることで、エアポンプ（２）を稼働し、チューブキャップ（４）の飲料供給用チューブ（９）から空気の圧力によって押し出された飲料をコップで受けて使用する。
なお、外部から飲料用ペットボトル（１）内への空気の注入及び、飲料の供給方法としては、ネックホルダー（３）を使用せず、チューブキャップ（４）と本体（５）を一体化させた構造を用いて飲料用ペットボトル（１）の開口部のネジ部に取り付けることも改良案として付け加える。
【符号の説明】
【０００７】１  飲料用ペットボトル
２  エアポンプ
３  ネックホルダー
４  チューブキャップ
５  本体
６  空気注入口
７  空気注入用チューブ
８  ボタンスイッチ
９  飲料供給用チューブ
【図１】
2019064737.tif 000003
【図２】
2019064737.tif 000004
(57)【要約】【課題】ポンプボトルに詰め替えるシャンプーやリンス等の補充作業がじょうごもなく簡単に補充できる容器を提供する。【解決手段】筒状の樹脂材にパウチを挿入し、ボトルの肩部に筒状を嵌着すると勝手に補充が終る、最後はパウチごと巻き絞ることができる、パウチ用詰め替え筒状補助具。【選択図】図１
2019064738.tif 000002
【特許請求の範囲】
【請求項１】
樹脂材からなる筒状は、上開口部の楕円形と下開口部を台形状で構成されたポンプボトルの肩部に合わせて、筒状本体を嵌着することを特徴とするパウチ用、詰め替え補助具。
【発明の詳細な説明】
【技術分野】
【０００１】  本発明は、ポンプボトルに詰め替えるシャンプーやリンス等の液材の補充作業が円滑に、おこなえるためのパウチ用、詰め替え筒状補助具に関するものである。
【背景技術】
【０００２】  従来、ポンプボトルの詰め替えはじょうご等を使い、詰め替えをしていたので、掃除をする手間が、かかって大変であった。
【先行技術文献】
【特許文献】
【０００３】
【特許文献１】実登３１９５７８４号公報
【発明の概要】
【発明が解決しようとする課題】
【０００４】そのため次のような問題点があった。
シャンプー等の詰め替えの度に、じょうごなどを使用しないと、液材がボトルにうまく入らず、また、直接パウチを手で支えると、失敗し、液材が垂れてしまったり、するので、詰め替えるだけのことで毎回、時間がかかりすぎていた。
【課題を解決するための手段】
【０００５】樹脂材からなる筒状は、上開口部の楕円形と下開口部の台形状で構成された、ポンプボトルの肩部に合わせて、筒状本体を嵌着することを特徴とする、パウチ用詰め替え筒状補助具である。
【発明の効果】
【０００６】  本発明の筒状は樹脂材で構成されているため、筒にパウチを挿入すると、樹脂材の柔軟性と滑りにくい機能により、重なる部分が密着した状態になり、ポンプボトルと重ね合わせると手で支えなくとも崩れることもなく、ボトルに液材が勝手に流れる、液材が流れ終って、空になったら、そのままパウチごと筒を巻き絞る、手を汚すこともなく筒が汚れることもなく、簡単に作業が終る。
【図面の簡単な説明】
【０００７】
【図１】本発明の斜視図
【図２】本発明にパウチを挿入し、注ぎ口が出ている状態図
【図３】本発明に挿入されたパウチの斜視図
【図４】本発明の下開口部の底面斜視図
【図５】本発明の楕円形の上開口部とボトルの肩部が嵌着した斜視図
【図６】本発明の上開口部の楕円形の平面図
【図７】本発明がボトルの肩部に嵌着した断面図
【図８】本発明とパウチが巻き絞られている状態図
【発明を実施するための形態】
【０００８】  以下、本発明の実施の形態について説明する
（イ）図７で示すように、ポンプボトル（１０）の肩部（１２）に嵌着させる、筒状（１）の上開口部（２）は、楕円形（４）に設け、ポンプボトル（１０）の首丈（１１）から肩部（１２）に沿ってやや狭い幅となって下開口部（３）を幅広に設けてある。
（ロ）下開口部（３）は、パウチ（９）の形状に沿わせた形状で、台形状（５）となっており、下開口部（３）は、図４で示すように幅広に設けられている。
また、台形状（５）の側面は、線状の突起（７）が両面に設けられている。
（ニ）筒状（１）は、樹脂材で構成されており重ね合うと柔軟性や滑りにくい特性が生じる。
本発明は、以上の構成よりなりたっている。
本発明を使用するときは、本体（１）の下開口部（３）から、パウチ（９）を挿入する。
樹脂材からなる筒状（１）は、樹脂の柔軟性と滑りにくい特性により、図３で示すようにパウチ（９）と密着した状態になる。
パウチ（９）の注ぎ口（８）を図２で示すように、出した状態にして、図７で示すように、ボトル（１０）の口部（１４）に注ぎ口（８）を装着させ、ボトル（１０）の肩部（１２）に楕円形（４）の上開口部（２）を重ねると、筒状（１）本体とパウチ（９）全体が、ボトル（１０）に重なる、ボトル（１０）と重なった図５で示すように、筒状（１）は、手で支えることなく液材が、ボトル（１０）に自然に流れ落ちる。
パウチ（９）が空になったとき、図８で示すように、平坦面（６）にパウチ（９）を巻き入れてゆき、突起（７）が滑り止めとなって、パウチ（９）と筒状（１）が巻き絞られる。
【符号の説明】
【０００９】１    筒状
２    上開口部
３    下開口部
４    楕円形
５    台形状
６    平坦面
７    線状の突起
８    注ぎ口
９    パウチ
１０  ポンプボトル
１１  首丈
１２  肩部
１３  丸みのある面
１４  ポンプボトルの口部
【図１】
2019064738.tif 000003
【図２】
2019064738.tif 000004
【図３】
2019064738.tif 000005
【図４】
2019064738.tif 000006
【図５】
2019064738.tif 000007
【図６】
2019064738.tif 000008
【図７】
2019064738.tif 000009
【図８】
2019064738.tif 000010
(57)【要約】      （修正有）【課題】金属や紙製のステープル等の部材を用いないで紙を綴じることを補助する紙綴じカッターを提供する。【解決手段】重ねた紙の角を折り、折った辺側に開いたハの字状の切れ込みを入れ、切れ込みに囲まれた部分を反対側に折り込むことにより紙を綴じる時、この切れ込みを入れるために上下に移動するハの字状に配置されたカッター１０を設けたことを特徴とする。【選択図】図３
2019064244.tif 000002
【特許請求の範囲】
【請求項１】
重ねた紙の角を折り、折った辺側に開いたハの字状の切れ込みを入れ、切れ込みに囲まれた部分を反対側に折り込むことにより紙を綴じる時、この切れ込みを入れるために上下に移動するハの字状に配置されたカッターを設けたことを特徴とする紙綴じ用カッター。
【発明の詳細な説明】
【技術分野】
【０００１】  本発明は金属や紙製のステープル等の部材を用いないで紙を綴じることを補助する文具に関するものである。
【背景技術】
【０００２】  従来、金属や紙製のステープル等の部材を用いないで紙を綴じる文具はあった。
（参考文献１参照）（参考文献２参照）
【先行技術文献】
【特許文献】
【０００３】
【特許文献１】特開平８−３００８６５
【特許文献２】特開２０１３−１７３３４１
【発明の概要】
【発明が解決しようとする課題】
【０００４】  従来より、次のような問題点があった。
重ねた紙の一部を舌状に切り抜き、その端を別の切り抜きに差し込む等、２つの動作をレバー等で握ったり押したりの一つの動作で行う機構のため、どれも複雑で部品点数が多く金属部品も多く使わなければならないため小型軽量化には制約があった。
本発明は、これらの問題点を解決するためになされたものである。
【課題を解決するための手段】
【０００５】  重ねた紙の角を折り、折った辺側に開いたハの字状の切れ込みを入れ、切れ込みに囲まれた部分を反対側に折り込むことにより紙を綴じる時、この切れ込みを入れるために上下に移動するハの字状に配置されたカッターを設けたことを特徴とする紙綴じ用カッター。
【発明の効果】
【０００６】  この紙綴じ用カッターは紙を綴じるために複雑になる折る機構を手で行うようにし、紙に切れ込みを入れるだけの機構のため、簡単で小型軽量にすることができる。
綴じた強さは従来の紙綴じ具に比べ弱いが、綴じた紙はで容易に外すことができ、角隅に折り目と切れ込みが入るだけなので紙を傷めない。また外した紙を重ねて折り目に沿って角を折り、切れ込み部分を逆方向に折り返せば手だけで再び簡単に綴じることができる。
【図面の簡単な説明】
【０００７】
【図１】本発明の平面図である。
【図２】本発明のＡ−Ａ断面図である。
【図３】本発明のＢ−Ｂ断面図である。
【図４】本発明のＣ−Ｃ断面図である。
【図５】本発明のＤ−Ｄ断面図である。
【図６】本発明のＥ−Ｅ断面図である。
【図７】本発明の使用順序第１図である。
【図８】本発明の使用順序第２図である
【図９】本発明の使用順序第３図である。
【図１０】本発明の使用順序第４図である。
【図１１】本発明の応用例第１図である。
【図１２】本発明の応用例第２図である。
【発明を実施するための形態】
【０００８】（イ）受けケース（１）に紙挿入溝（２）を設ける。この溝に図７のように綴じる紙（１２）の角を重ねて表に折り曲げ、折り目を紙ストッパー（３）に当たるまで挿入する。
（ロ）受けケース（１）の内側で上下に移動する押しケース（７）の下部に先端が斜めにカットされ斜め部分に刃付けされた厚み０．４ｍｍ程のカッター（１０）を先端部が紙挿入溝（２）の挿入口側になるようにし、Ｄ−Ｄ断面の図５で表されたように挿入口側が狭いハの字状に取り付ける。またハの字状の広い側の端は折れ目がカットできるようにストッパーの奥になるよう取り付ける。
（ハ）受けケース（１）を押し下げることにより綴じ紙角折り部（１４）に図９のようなハの字状の切れ込み（１５）ができる。
（ニ）切れ込み（１５）を入れた後、押しケース（７）のカッター（１０）が綴じ紙角折り部（１４）から抜け、先端が紙挿入溝（２）に出ない位置まで持ち上げられるようバネ（１１）を取り付ける。
（ホ）押しケース（７）が上下に移動する範囲を制限するためストッパースリット（９）が両側に付いたストッパー（８）とストッパーガイド（６）を設ける。
（ヘ）上下動するカッター（１０）は薄いので紙を押し切る時等に変形を少なくするため受けケース（１）にカッターガイド（４）を設ける。
（ト）カッター（１０）により綴じ紙角折り部（１４）に切れ込み（１５）を入れるとき切れ易く切り口がきれいになるよう受けケース（１）にカッター溝（５）を設ける。
（チ）押しケース（７）を押した後、綴じる紙（１２）を紙挿入溝（２）から抜き、綴じ紙角折り部（１４）にできたハの字状の切れ込み（１５）に囲まれた部分を図１０のように反対側に折り返すと紙綴じが完了する。
（リ）綴じる力を強くするため綴じ紙角折り部（１４）の折り目（１３）に複数の切れ込み（１５）を入れ各々（チ）で行われたように反対側に折り返す。
（ヌ）図１１のように受けケース（１）をペン（１６）の頭部を付ければペンで書いた紙をすぐに綴じることが出来る全く新しい文具ができる。
（ル）図１２のように受けケース（１）にアイ（１７）を設け、ストラップを付ければ小さく軽いので便利な携帯用になる。
【符号の説明】
【０００９】    １受けケース
２紙挿入溝
３紙ストッパー
４カッターガイド
５カッター溝
６ストッパーガイド
７押しケース
８ストッパー
９ストッパースリット
１０カッター
１１バネ
１２綴じる紙
１３折り目
１４綴じ紙角折り部
１５切れ込み
１６ペン
１７アイ
【図１】
2019064244.tif 000003
【図２】
2019064244.tif 000004
【図３】
2019064244.tif 000005
【図４】
2019064244.tif 000006
【図５】
2019064244.tif 000007
【図６】
2019064244.tif 000008
【図７】
2019064244.tif 000009
【図８】
2019064244.tif 000010
【図９】
2019064244.tif 000011
【図１０】
2019064244.tif 000012
【図１１】
2019064244.tif 000013
【図１２】
2019064244.tif 000014
(57)【要約】      （修正有）【課題】支点となる所に針が無いコンパスを提供する。【解決手段】支点となるのはカーソル（サ）の下、支点になる所はベアリング（ク）が施されてあり、ベアリング（ク）を中芯にスケール（イ）を押し回す事で円が描け、ノートに穴が開かない構成とした。【選択図】図１
2019064243.tif 000002
【特許請求の範囲】
【請求項１】
スケール（定規）に支点となる所がカーソルになっており、カーソルをスケールに率ってスライドさせ固定し円を描く事の出来るスケールエン（円）パスである。
【請求項２】
支点を針でなく、支点（０）所にベアリングで固定させ、スケール（定規）を回転させ円を描くのである。
【請求項３】
支点となるベアリングの底の面に滑り止めが施してある。
【請求項４】
従来のコンパスの支点の針をベアリング支点にする事で、今まで紙に穴が開いていたのが穴が無くなるベアリング支柱点である。
【発明の詳細な説明】
【技術分野】
【０００１】  スケール（定規）にカーソルなる物を組み合わせ、カーソルが０支点としスケール（定規）を滑らせ描きたいマル（円）を描ける様、スケールの先端には鉛筆が取り付けられる様に鉛筆ホルダーが取り付けてあるのである。日本が誇る文具の技術分野である。
【背景技術】
【０００２】  円を描くコンパスは古今東西今だに変化が無いのである。描きずらくノートに穴があき、大きく描くと滑り円がうまく描けない。低学年生では特にそうであった。このスケールエンパスは針が無いのでノートに穴も開かず、ベアリングが針の代わりでベアリングの底に滑り止めが付けてあるのでスケールだけがスムーズに回るのである。
【発明の開示】
【発明が解決しようとする課題】
【０００３】  円を描くコンパスは二股に開く旧態依然として全世界中で少しも進歩しておらず誰もが楽に円が描けるようにしたスケールエンパスであり、支点となる所に針が無い画期的なエンパスである。
【課題を解決するための手段】
【０００４】  従来のコンパスは支点には針が付けてあったが、このエンパスには針が無いのである。支点となるのはカーソルの下、支点になる所はベアリングが施されてあり、ベアリングを中芯にスケールを押し回す事で円が描けノートに穴が開かないのである。
【発明の効果】
【０００５】  今までの描きづらかったコンパスは幼児には持たせられなかったが、このエンパスは針が無いので安心して持たせられ、円や絵を楽しく描ける事が出来るのである。
【発明を実施するための、最良の形態】
【０００６】  今まで何百年〜何十年と円を描くコンパスは改良されてこなかったのが不思議であった。このエンパスは小さなお子様、幼稚園児でも危なくないので安心で安全である。
【実施例】
【０００７】  スケール（定規）エンパスは新発想で、従来のコンパスとはコンパスの概念を覆すエンパスである。まず楽に誰でも円が描け、第一に安全、安心である。仕組み簡単である。コンパクトである。幼児、低学年生でも使用出来るのである。
【産業上の利用可能性】
【０００８】  日本が特異とする文房具の技術と日本が世界に誇る世界一のベアリングとのコラボで世界一安全、軽量、簡単なエンパスは学業や絵や芸術あらゆる業界に輸出にと大いに貢献するのである。
【図面の簡単な説明】
【０００９】
【図１】図面の名称  Ａはスケールエンパスの正面図  Ｂはスケールエンパスの側面図  Ｃはスケールエンパスの上面図  Ｄはカーソル支柱の拡大断面図  Ｅはスケールエンパスの後面図（ア）回転頭          （カ）鉛筆の芯          （サ）カーソル０点の印
（イ）スケール        （キ）鉛筆ホルダー
（ウ）ｃｍ印          （ク）ベアリング
（エ）鉛筆            （ケ）滑り止め
（オ）〆ネジ          （コ）カーソル支柱
【図１】
2019064243.tif 000003
(57)【要約】      （修正有）【課題】実際のスケートボードと同じ重量、同じ支持基底面で似た動き方をしてスケートボードのシュミレーション練習や筋力トレーニングを安全に行う事が出来るスケートボード型バランスボードを提供する。【解決手段】スケートボードデッキの上面に滑り止めを貼り、下面に面ファスナー♂を貼る。半球形のバランスボールの平な面に面ファスナー♀を貼り付けたゴム板を接着する。スケートボードデッキの下面の面ファスナー♂にバランスボールの上面の面ファスナー♀を２個並べて前後に２列の合計４個を接合する。以上の構成よりなる。【選択図】図４
2019111303.tif 000002
【特許請求の範囲】
【請求項１】
スケートボードデッキ（１）の上面に滑り止め（２）を貼り、下面に面ファスナー♂（３）を貼る。
半球形のバランスボール（４）の平な面に面ファスナー♀（５）を貼ったゴム板（６）を接着する。
前記スケートボードデッキの下面の面ファスナー♂（３）と前記バランスボール上面の面ファスナー♀（５）を２個並べて前後に２列の合計４個を接合する。
【発明の詳細な説明】
【技術分野】
【０００１】  本発明はスケートボードの練習を屋内で行う際やバランス感覚のトレーニングを行う時に使用されるスケートボード型バランスボードに関するものである。
【背景技術】
【０００２】  従来、スケートボードを練習する用具は、筒または空気の入った円盤の上にスケートボード型の板を置いて使用者が板の上に乗ってバランスを取るバランスボード（非特許文献１）やスケートボードのデッキの下面に袋に入れたタイヤチューブを接合して跳ねる練習をするバランスボード（非特許文献２）が知られている。
【先行技術文献】
【０００３】
【非特許文献１】（平成２８年１０月２５日検索）、インターネット＜ＵＲＬ：ｈｔｔｐ／／ｉｎｄｏｂｏａｒｄ．ｃｏｍ＞
【非特許文献２】（平成２８年１０月２５日検索）、インターネット＜ＵＲＬ：ｈｔｔｐ／／ＳＹＣＫＴＲＩＸ．ｃｏｍ＞
【発明の概要】
【発明が解決しようとする課題】
【０００４】  従来のスケートボード練習具は次のような欠点があった。
（イ）非特許文献１のバランスボードは筒または空気の入った円盤に置いて使用するの        で、バランスボードが外れて使用者が転倒してしまう恐れがある。さらに、バラ        ンスを取るためにバランスボードを水平に保たなければならず、スケートボード        の特徴である板を前後左右に傾けながらのトレーニングが出来ない。
（ロ）非特許文献２のバランスボードはタイヤチューブが前後に接合されているために        左右の傾けが困難でつま先や踵に体重をかけながらのトレーニングが出来ない。
本発明は以上の問題点を解決するために発明されたものである。
【課題を解決するための手段】
【０００５】  スケートボードデッキ（１）の上面に滑り止め（２）を貼り、下面に面ファスナー♂（３）を貼る。
半球形のバランスボール（４）の平な面に面ファスナー♀（５）を貼り付けたゴム板（６）を接着する。
前記スケートボードデッキの下面の面ファスナー♂（３）に前記バランスボールの上面の面ファスナー♀（５）を２個並べて前後に２列の合計４個を接合する。
以上の構成よりなるスケートボード型バランスボード。
【発明の効果】
【０００６】  本発明を使用する事によって、４個のバランスボールで囲まれた内側で重心の移動をしながら加重や抜重のトレーニングが安全に行う事が出来る。
４個のバランスボールは独立して密閉されていて互いに干渉する事が無いので加重をかけたバランスボールのみが圧縮されて体積が小さくなると内圧が上がり使用者を支えて転倒せずにバランストレーニングを行う事が出来る。
４個のバランスボールの接地位置と実際のスケートボードの車輪の接地位置は同じなのでオーリーやマニュアルなどのトレーニングを安全に行う事が出来る。
【図面の簡単な説明】
【０００７】
【図１】  本発明バランスボードの斜視図
【図２】  本発明バランスボードの斜視図
【図３】  本発明バランスボールの斜視図
【図４】  本発明のバランスボードの使用状態を示す斜視図
【発明を実施するための形態】
【０００８】  以下、本発明の実施の形態を説明する。
（イ）、スケートボードデッキ（１）の上面に滑り止め（２）を貼り、下面に面ファスナー♂（３）を貼る。
半球形のバランスボール（４）の平な面に面ファスナー♀（５）を貼ったゴム板（６）を接着する。
前記スケートボードデッキの下面の面ファスナー♂（３）と前記バランスボール上面の面ファスナー♀（５）を２個並べて前後に２列の合計４個を接合する。
（ロ）、前記スケートボードデッキの下面の面ファスナー（３）に接合する前記バランスボールの位置と個数は自由に変えることが出来る。
本発明は以上の構成よりなる。
本発明を使用する場合は、図４の状態のスケートボード型バランスのボード（７）を平坦な床に置き、使用者がスケートボードデッキ（１）に貼られた滑り止め（２）の上に立ち、スケートボードに必要なバランス感覚のトレーニングや筋力トレーニングを行う。
なお、スケートボードの動作以外のバランストレーニングや体幹トレーニング、筋力トレーニングにも使用する事が出来る。
【符号の説明】  １  スケートボードデッキ
２  滑り止め
３  面ファスナー♂
４  半球形バランスボール
５  面ファスナー♀
６  ゴム板
７  スケートボード型バランスボード
【図１】
2019111303.tif 000003
【図２】
2019111303.tif 000004
【図３】
2019111303.tif 000005
【図４】
2019111303.tif 000006
(57)【要約】      （修正有）【課題】ベッド等にホルダーやいろいろな必要品をまとめて収納できる吊り掛け型収納具の提供。【解決手段】紐の結び２４でくくり付けたり、掛けることを設け、前面は必要品が一目でわかる様な、大きなポケットに小さなポケット分の布を重ねミシン目を設け、必要品がすぐに取り出せる様にし、トイレットペーパー１１をベッドのさくの外側に取り付け、本体後ろにゴムテープを長さ３分の２のゴムを伸ばしぬい付け、差し込み布１９でホルダー２１を設けたことを特徴とする吊り掛け型収納具。【選択図】図２
2019111305.tif 000002
【特許請求の範囲】
【請求項１】
（イ）使用したい所に、どこにでも取り付けができる。
（ロ）紐（２２）の結び（２４）でくくり付け（２５）たり掛ける（２６）ことを設け前面は、必要品が一目でわかることを設け、大きなポケット（２）に小さなポケット（３）分の布を重ねミシン目（４）で必要品がすぐに取り出せることを設けた。
（ハ）トイレットペーパー（１１）をベッドのさくの外側に取り付けることを設け本体後（１０）にゴムテープ（１５）を長さ３分の２のゴムを伸ばし（１６）ぬい付け（１４）布でホルダーを設けたことを特徴とする吊り掛け収納具。
【発明の詳細な説明】
【技術分野】
【０００１】本発明は、トイレやベッドなどで使用するホルダーや、さまざまな必要品を収納することができる吊り掛け型収納具に関するものである。
【背景技術】
【０００２】従来、ホルダーなどはベッドに取り付けられなかった。
必要品をまとめて一目でわかる所に置けなくて使用出るものが限られていた。
【先行技術文献】
【特許文献】
【０００３】
【特許文献１】特開２００５−１３１３６８
【特許文献２】特開２０１３−５２２０５公開公報
【特許文献３】特願２０１４−１６１５０
【発明の概要】
【発明が解決しようとする課題】
【０００４】そのため、次のような問題点があった。
（イ）ポータブルトイレを使用する時、ベッドにホルダーを取り付けられない。
（ロ）いろいろな必要品があっちこっちに置いてあると使いたい時に利用出来なくて簡単に見つけることは不可能だった。
本発明は、これらの問題点を解決するためになされたものである。
【課題を解決するための手段】
【０００５】（イ）使用したい所に、どこにでも取り付けができる。
（ロ）紐（２２）の結び（２４）でくくり付け（２５）たり掛ける（２６）ことを設け前面は、必要品が一目でわかることを設け、大きなポケット（２）に小さなポケット（３）分の布を重ねミシン目（４）で必要品がすぐに取り出せることを設けた。
（ハ）トイレットペーパー（１１）をベッドのさくの外側に取り付けることを設け本体後（１０）にゴムテープ（１５）を長さ３分の２のゴムを伸ばし（１６）ぬい付け（１４）布でホルダーを設けたことを特徴とする吊り掛け収納具。
【発明の効果】
【０００６】（イ）従来、不可能とされていた、ベッドの取り付けを本発明により可能にし、ペーパーや必要品がすぐに取り出すことが出来ることを設けた。
（ロ）必要品をあっち、こっちに置きどこに有るかわからない見つけることが不可能とされていた。本発明により一目でわかることを可能に出来ることを設けた。
（１）ポケットに小さいものから大きなものまでいろいろと必要品が収納出来、見えやすくすぐに使用できることを設けた。
（２）病院や自宅でポータブルトイレを使用する時にベッドのさくに取り付け、両面使用の布でコンパクトにトイレットペーパー、タオルなどを掛けるホルダーを設けた。
【図面の簡単な説明】
【０００７】
【図１】  本発明の使用状態を示した正面図
【図２】  本発明の使用状態を示した背面図
【発明を実施するための形態】
【０００８】  以下、本発明の実施の形態を説明する。
（イ）  表裏のわかりくいしっかりした布地を使用。
本体前（１）にポケット大（２）と小さなポケット（３）分の布地を重ねてミシン目（４）でいろいろなポケット（３）を設ける、ポケット口（５）にふちどり（６）を付け、
（ロ）  折り返しわ（７）の位置にティシュボックス（８）入れを設けて取り出し口（９）を設ける。
（ハ）  本体後（１０）にトイレットペーパー（１１）とタオル（１２）を掛けることを設ける当て布（１３）を本体後（１０）の上部だけにぬい付け（１４）内側にゴムテープ（１５）を左側にぬい付け（１４）横に３分の２の長さで、残りの３分の１は右側に引っぱって伸ばす（１６）ぬい付（１４）るのは、本体のまわりのふちどり（８）を設ける前に当て布と同時にぬい付け（１４）進行しやすくなることを設けた。
（ニ）  トイレットペーパーとタオル（１２）を掛ける（２６）ための横棒（１７）の両はしを半円球（１８）の丸味を設ける。横棒（１７）の太さに合わせて差し込み布（１９）を筒状（２０）にして、ホルダー（２１）を左右と上下に設ける。
（ホ）  １本の紐（２２）を半分（２３）に折り本体の右左の上部にぬい付け（１４）２本になった紐（２２）を結び（２４）くくり付け（２５）たり掛けることなどを設け、どこにでも使用できること、必要品（２７）がいろいろと収納出来ることを設けた。
（イ）本発明は、以上のような構造である。
（ロ）本発明は、必要品がいつでも身近にあるので、使用時にどこにあるかさがさなくても一目でわかるのですぐに使用出来る。
（ハ）ポータブルトイレを使用する時にベッドのさくに、ホルダーをくくり付け（２５）トイレットペーパー、タオルなどが掛けられることを設けた。
【符号の説明】
【０００９】１  本体前            １０  本体後              １９  差し込み布
２  ポケット（大）    １１  トイレットペーパー  ２０  筒状
３  ポケット（小）    １２  タオル              ２１  ホルダー
４  ミシン目          １３  当て布              ２２  紐
５  ポケット口        １４  ぬい付け            ２３  半分
６  ふちどり          １５  ゴムテープ          ２４  結び
７  わ                １６  伸ばす              ２５  くくり付
８  ティシュボックス  １７  横棒                ２６  掛ける
９  取り出し口        １８  半円球              ２７
【図１】
2019111305.tif 000003
【図２】
2019111305.tif 000004
(57)【要約】      （修正有）【課題】電力エネルギーを使用しないで、レバーを人の力で押して作動するリクライニングを可能とし、敷布団のマットレスに用いることも可能とするリクライニング床面型を提供する。【解決手段】中央の板を左右両側から挟み両方の両側の溝を使って前方へ中央の板を移動させる第１作動、それに連動して下半身部分に当たる板を押し出す第２作動、またそれに連動して背ボトムの板を起こす第３作動の連鎖でリクライニングする。動力について、中央の板１９の部分をレバー本体１６で挟み、レバー１２を足レバー１４で押すことで、両側の溝１７、１８を歯車の原理で中央の板１９を前方へ押し出し接触面も連動して前方へ押し出されると、背ボトムがリクライニングされて起き上がる。【選択図】図２
2019111302.tif 000002
【特許請求の範囲】
【請求項１】
背ボトムの起き上がりを、人の力でレバーを押してできるリクライニング床面型。
前記背ボトムをリクライニングさせるために、中央の板または金属の板の先にある溝を、レバーの溝と噛み合わせて足レバーを押すことで、中央の板または金属の板を押し出して作動させる動力装置。
【請求項２】
背ボトムを起こす場合、動力装置で押し出された板を背ボトム側の力伝導の板に押し当て押し出すと背ボトムの直角の板が前方へ倒れてそれに連動して背ボトムを起こす構造。
【請求項３】
前記の背ボトムが起き上がる動作に連動して、背ボトムに付属された腕置きが下がり、また背ボトムの裏面に配置された開閉バネのついた背面ボードが背ボトムのリクライニングに連動して上方へ押し上げられてローラー止めで停止して背ボトムを支える構造。
【発明の詳細な説明】
【技術分野】
【０００１】  本発明は、敷布団に用いる電力を使用しないリクライニング構造に関するものである。
【背景技術】
【０００２】  従来のリクライニングベッドは、電力エネルギーを動力としてモーターを動かし、手元コントローラーにてリクライニング操作を行うものである。実用として、病院の看護ベッド、介護ベッドなど一般的に体を起こす動作の補助とては十分であった。
【先行技術文献】
【特許文献】
【０００３】
【特許文献１】特開２０１６−１６３０６号公報
【発明の概要】
【発明が解決しようとする課題】
【０００５】  これまでの技術では、電力エネルギーで作動するベッド型が主力である。
そこで床に敷くマットレス型で、エネルギー資源を必要とせずに作動するリクライングを提供することを課題とする。
【課題を解決するための手段】
【０００６】  本発明は、背ボトムのリクライニングについて電力を使用しない、レバーを人の力で押す動作を起源として装置への力の伝導を利用することで省エネを実現した。
また、敷布団の下やマットレスとして利用可能な構造とした。
【発明の効果】
【０００７】  ・電源が不要なため、震災時でも自宅で起き上がれない方の補助として使用できます。
・リクライニングベッドへ買い替える必要がなく、現在使用の敷布団の下へ敷いてリクライニングまたはマットレスにしてリクライニングできる。
・腰痛、病気、ケガ、高齢者の方の起き上がりの補助、布団での食事態勢の補助。
【図面の簡単な説明】
【０００８】
【図１】リクライニングの実施方法を示した説明図である。（実施例１）
【図２】動力の実施方法を示した説明図である。（実施例２）
【発明を実施するための形態】
【０００９】  この発明の実施形態を、図１はリクライニングの形状と構造を設置して、図２は動力でリクライニングさせた状態を上段にして、図２−（ｆ）を下段に設置して上下を組み合わせた形態である。
【実施例１】
【００１０】  図１はリクライニングの形状と構造で、（ｂ）１の裏面へ（ｄ）のボードを（ｃ）６の裏面の（ｄ）６と（ｄ）９のボードを（ｄ）１０のバネにより閉じていた状態（ｅ）を配置。（ｅ）１がリクライニングで上がる際に、バネの反動で押し上げられて（ｃ）６のボード（ｃ）８が（ｂ）５で固定されて背ボトムの支えとなる構造である。また、背ボトムの横へ（ａ）４を付属させて、リクライニング後に利用者が手をついて立ち上がる動作の補助用具である。
【実施例２】
【００１１】  図２は、動力について、（ｇ）１９の部分を（ｇ）１６で挟み、（ｇ）１２を（ｇ）１４で押すことで、（ｇ）１７、（ｇ）１８の両側の溝を歯車の原理で（ｇ）１９を前方へ押し出し接触面の図１−（ａ）３も連動して前方へ押し出されると、図１−（ａ）１がリクライニングされて起き上がる、電気などのエネルギーを使わずに構造を作動させるＥＣＯなリクライニングである。
【符号の説明】
【００１２】（ａ）    本体  上段の正面
（ａ）１  背ボトム                      （ａ）３  力伝導の板
（ａ）２  直角部分の板                  （ａ）４  腕置き
（ｂ）    （ａ）の横面                  （ｂ）５  ローラー止め（突起）
（ｃ）    背ボトムの支え板              （ｃ）７  （ｂ）５の受け手（突起受け）
（ｃ）６  背面ボード                    （ｃ）８  ローラー
（ｄ）    背面ボードの構造              （ｄ）１０  開閉バネ
（ｄ）９  背面ボード２段目
（ｅ）    リクライニング前（横）
（ｆ）    下段本体の正面
（ｇ）    動力の本体（レバーを押す前）  （ｇ）１５  レバーの回転足
（ｇ）１１  レバー調整                  （ｇ）１６  レバー本体
（ｇ）１２  レバー                      （ｇ）１７  中央部分の溝
（ｇ）１３  レバーのレール              （ｇ）１８  レバーの溝
（ｇ）１４  足レバー                    （ｇ）１９  中央の板
（ｈ）    動力の本体（レバーを押した後）
（ｉ）    リクライニング本体（横）      （ｉ）２０  下段本体（横）
【図１】
2019111302.tif 000003
【図２】
2019111302.tif 000004
(57)【要約】【課題】従来は、自走式車椅子を使って自走したとき回転動力輪を回した運動力の回転分しか動力タイヤと回転動力輪が一対構造のため動力タイヤは回転し進まなかった。【解決手段】  これまでのように自走式車椅子は回転動力輪の回転運動分しか動力タイヤは回転し進まなかったので、回転動力輪と動力タイヤを固定した一対作りとせず個別運動出来るように分離し、回転動力輪と動力輪回転中心軸は一対で動力輪回転中心軸に歯車を新たに組み込んだ歯車１に回転変換させながら伝え動力輪回転中心軸の外側に回転外軸と歯車４が一対となった回転外軸に回転動力変換歯車２−３から回転運動力を伝えることで回転外軸が回転しフリーホイールも同様の回転運動をする事で動力タイヤへ回転運動が伝わり、動力タイヤスポークと動力タイヤが大きく回転し進むことが出来る自走式車椅子を提供することが出来る。【選択図】図１
2019111301.tif 000002
【特許請求の範囲】
【請求項１】
自走式車椅子を使って自走したとき、回転動力輪の小さな回転運動で動力タイヤが大きく回転運動し進むように、回転動力輪と動力タイヤを分離回転出来るようにと動力輪回転中心軸に歯車１を組み込み回転動力輪の回転運動を回転動力変換歯車２−３へと伝え回す、又回転動力変換歯車２−３から新たに動力タイヤ用の軸として動力輪回転中心軸外側に外軸と歯車が一対となった外軸歯車４を組み込むことで回転外軸に回転動力が伝わりフリーホイールが回転し動力タイヤが大きく回転し進む、又動力タイヤが大きく回転し進むように回転動力変換歯車２−３、そして外軸歯車４の各歯車の歯数を調整することで動力タイヤが大きく回り進むことが出来る構造となる楽な運動力の自走式車椅子。
【発明の詳細な説明】
【技術分野】
【０００１】この発明は、今までは自走式車椅子を使用したとき、手動で回転動力輪を回転させると回転動力輪の回転した円周分を動力タイヤが回転し進んでいた為、新たに動力輪回転中心軸の外周部に回転外軸や変換用歯車を組み込むことで、小さなストロークの回転動力輪の回転が動力タイヤを大きなストロークの回転へと回転変換させ自走式車椅子を大きく楽に進ませる事が出来る機能を組み込んだ楽々自走式車椅子。
【背景技術】
【０００２】現在、自走式車椅子での走行時タイヤの回転分回転動力輪の回転運動が必要とされていた為、老人や弱者等の自走時の回転運動力の動力軽減化の為に回転動力輪の回転動力以上動力タイヤが大く進む事が出来るストローク走行の自走式車椅子が望まれていた。
【発明の概要】
【発明が解決しようとする課題】
【０００３】これまでは、次のような欠点があった、これまでは自走式車椅子を使って自走するとき、回転動力輪がタイヤ回転フレームにステで直接取り付けられている為、回転動力輪に回転運動を加え回転した回転分しか動力タイヤが回転し進まないので、新しく動力輪回転中心軸に回転外軸と変換用歯車を組み込み回転動力輪と動力タイヤのフレームを分離する事で回転動力輪を少し回転させるだけで中心軸の歯車から回転変換歯車へ動力を伝え歯車で回転動力を変換し動力タイヤを大きく進むよう回転させることが出来るように考えられたものである。
【課題を解決する為の手段】
【０００４】これまでのように、自走式車椅子を使用し回転動力輪に回転運動力を加えても動力タイヤが回転動力輪以上の回転運動を生み出し進むように、回転動力輪の中心軸に組み込まれた歯車１から歯車２−３の一対で出来た歯車から外軸歯車４と回転外軸へ回転運動を伝え回転数や回転方向を変換する事で動力タイヤが大きく回転し進むよう中心軸外側に回転外軸や歯車を新たに組み込んだ、この構造変換により小さな回転動力輪の回転で動力タイヤが大きく回転し進むことが出来る自走式車椅子。
【発明の効果】
【０００５】自走式車椅子を使い自走したとき、車椅子の動力輪回転中心軸の回転動力輪と回転外軸を分離する事で、回転中心軸歯車１から回転動力変換歯車２−３で回転運動力を変換し外軸歯車４と回転外軸に回転動力を増幅変換し伝えることで、少しの回転動力輪の回転運動で大きく回転し進む動力タイヤの回転運動へと変える事が出来る。
【図面の簡単な説明】
【０００６】
【図１】  ギアボックスと動力輪動力タイヤ中心断面詳細図
【図２】  車椅子側面図
【図３】  車椅子正面図
【図４】  車椅子後面図
【発明を実施する為の形態】
【０００７】以上、本願発明の実施の形態について説明する。
自走式車椅子を使用したとき、自走式車椅子の回転動力輪を手動で回すことで動力タイヤスポークが動力輪回転中心軸に回転動力を伝え動力輪回転中心軸に組み込まれた歯車１を歯車２−３へと噛み合わせ、歯車１と歯車２−３の歯数調整等で動力をコントロールしながら歯車２−３を歯車４へと噛み合わせ伝える事で、外軸と歯車４の一対で出来た回転外軸に回転動力が伝わりフリーホイールが回転し動力タイヤスポークからリムそして動力タイヤへと回転動力が伝わる。運動力はその伝達行程では各歯車の歯数を調整し各歯車へ噛み合わせる事で、回転動力輪の小さなストロークの回転動力輪運動で動力タイヤを大きく回転運動させ大きく進む楽々自走式車椅子として使用することを提供することが出来る。
【符号の説明】
【０００８】１  回転動力輪
２  動力輪スポーク
３  動力輪回転中心軸
４  回転中心軸歯車１（歯車１）
５  回転動力変換歯車２−３（歯車２−３）
６  外軸歯車４  （歯車４）
７  ベアリング
８  動力タイヤスポーク
９  回転外軸
１０  フリーホイール
１１  動力タイヤリム
１２  動力タイヤ
１３  フレーム取り付けスペーサー
１４  椅子フレーム
１５  変換歯車ケース
１６  ケース止めビス
１７  補強フレーム
１８  補強フレーム止め
１９  グリップ
２０  椅子タイヤカバー
２１  肘おき
２２  椅子シート
２３    回転方向転換輪
２４    転倒防止輪
２５    回転動力輪軸カバー
２６  ステップ
２７  差込口
【図１】
2019111301.tif 000003
【図２】
2019111301.tif 000004
【図３】
2019111301.tif 000005
【図４】
2019111301.tif 000006
(57)【要約】【課題】  頭部をイスの枕部に固定し、椅子に座った状態での安眠のための道具を提供する。【解決手段】  光を通さず、肌にソフト感のある生地材質を用いて横長帯状又は拡大アイマスク状に形成してあり、非透光性のアイマスク帯及びメッシュ生地を重ね合わせ、両端点状に結合された結合部で固定され、結合部に設けられたループをくぐって、両端外側へ伸びた装着紐とその紐の長さ調節具を備えたことを特徴とする座席用安眠具。【選択図】図１
2019111299.tif 000002
【特許請求の範囲】
【請求項１】
肌にソフト感のある生地材質を用いて、横長帯状又は拡大アイマスク状重ね合わせに形成してあり、一枚は非透光性のアイマスク帯、他の一枚は、メッシュ生地を用い、装着補助帯を成し、各々縁取りし、両端において点状に結合された結合部を成し、結合部から外側へ出る形でループを設けてあり、そのループをくぐって両端外側へ数十センチ伸びた装着紐が設けてあり、装着紐にぬけるループより外側に長さ調節具を設けてあることを特徴としている座席用安眠具。
【発明の詳細な説明】
【技術分野】
【０００１】  本発明は、着席時に頭部を固定し瞼を覆い、顔面のほとんどを隠し睡眠を助けるためのものである。
【背景技術】
【０００２】  従来、首に浮き輪の様なものを巻き、頭部、頸部を安定させ、着席時の睡眠を助けるものがあった。又、目にマスクのような物を着け頭部の後ろにゴムを回し、固定し、睡眠を助けるものがあった。
【発明の概要】
【発明が解決しようとする課題】
【０００３】（イ）首に巻く浮き輪の様なものは、安定感が得られなかった。
（ロ）目に付けるマスクの様なものは、瞼に光が入るのを防ぐ効果はあるが、頭部の安定、固定には目が向かず、その様な意図もなかったと思われる。
（ハ）高速バスなどで、顔面を覆うテントの様なものもあるが、構造が大掛かりで、簡単に普及するとは思われない。
（二）顔全体を覆う筒状の布があるが、寝顔を隠す為であり頭部を固定する意図は感じられない。
【課題を解決するための手段】
【０００４】  肌にソフト感のある生地材質を用いて、凡そ１０ｃｍ×３０ｃｍ幅の横長帯状又は拡大アイマスク状重ね合わせに形成してあり、一枚は非透光性のアイマスク帯、他の一枚は、メッシュ生地を用いた装着補助帯を成し、各々縁取りし、両端において点状に結合された結合部を成し、結合部から外側へ出る形でループを設けてあり、そのループをくぐって両端外側へ数十センチ伸びた装着紐が設けてあり、装着紐におけるループより外側に長さ調節具を設けてある。
【発明の効果】
【０００５】  頭部を座席の枕部に固定することで、頭が前方又は左右に倒れるのを防げる。瞼を覆うことで、光を遮り入眠しやすくなる。
顔面の鼻以外を覆い隠せるので、他人に寝顔を見られない。
【図面の簡単な説明】
【０００６】
【図１】本発明の斜視図
【図２】本発明の使用例を示す側面図
【発明を実施するための形態】
【０００７】  肌にソフト感のある生地材質を用いて、凡そ１０ｃｍ×３０ｃｍ幅の横長帯状又は拡大アイマスク状に重ね合わせに形成してあり、一枚は非透光性のアイマスク帯（１）、他の一枚はメッシュ生地を用い装着補助帯（２）を、各々縁取りし、両端において点状に結合された結合部（６）を成し、結合部から外側へ出る形でループ（３）を設けてあり、そのループ（３）をくぐって両端外側へ数十センチ伸びた装着紐（４）が設けてあり、装着紐（４）にぬけるループ（３）より外側に長さ調節具（５）を設けてある。
本発明は、以上の構成で頭部を座席（７）の背もたれ上部の枕部（８）に固定し、ずれないように安定させ、瞼を覆い視界を暗くし顔面の鼻から下部分を装着補助帯（２）で覆うことによって、顔面のほとんどの部分を隠して、他人に寝顔を見られないようにして安眠する為に用いる道具である。
頭部を固定することにより、座席での安眠時に枕部から頭部がずれ落ちるのを防ぎ、旅客機のエコノミークラス，高速バス，乗用車の助手席で後部に人が乗っていて背もたれが倒せないとき、乗用車の後部座席等、背もたれが立った状態での睡眠時にも頭を枕部に固定し、前方に頭が垂れたり、枕部から頭が横に外れるのを防ぐことができる。
また、瞼を覆い視界を暗くすることで、入眠しやすくでき、更にアイマスク帯（１）と重ね合わされた装着補助帯（２）を顔面下部にずらすことにより、顔面のほとんどを覆い、他人に寝顔を見られず、アイマスク帯（１）と装着補助帯（２）をずらした隙間即ちノーズスペース（９）に鼻を出す事により呼吸が妨げられず、安眠する事ができる。
【符合の説明】
【０００８】１  アイマスク帯          ６  結合部
２  装着補助帯            ７  座席
３  ループ                ８  枕部
４  装着紐                ９  ノーズスペース
５  長さ調節具
【図１】
2019111299.tif 000003
【図２】
2019111299.tif 000004
(57)【要約】【課題】本発明は、シールにより簡単にお焚き上げ供養できるサービス方法を提供する。【解決手段】本発明は、剥離紙にシールを利用に関わる全ての料金を含むチケットの役割を持たせることで、距離、実施時期、料金確認、利便性、支払い方法の課題を解決し、お焚き上げ供養を手軽に利用できるようにすることを特徴とする。【選択図】図１
2019023842.tif 000002
【特許請求の範囲】
【請求項１】
図１の剥離紙に粘着され、利用者が封筒や箱に貼付することで、お焚き上げ供養を実施できるシールを用いたサービス提供方法。
【発明の詳細な説明】
【技術分野】
【０００１】本発明は、シールを用いて簡単にお焚き上げ供養できるサービス方法に関するものである。
【背景技術】
【０００２】従来、物品のお焚き上げ供養をする際に、神社や寺院に直接赴き依頼する方法もしくは物品を箱詰めして送る方法しかなかった。
【発明の概要】
【発明が解決しようとする課題】
【０００３】これには次のような欠点があった。
神社寺院に直接赴く場合、
（１）神社寺院が遠方にある場合、赴くのが困難であった。
（２）お焚き上げ供養の実施日と自分の都合が合わずに赴けない場合があった。
神社寺院に箱詰めして郵送する場合、
（１）お焚き上げ料金と神社寺院への送料を別に支払わねばならなかった。
（２）料金の支払いとお焚き上げの時期がほぼ同じタイミングでなければならなかった。
（３）お焚き上げ供養を希望する人は、神社と直接やりとりするしか手段がなかった。
本発明が解決しようとする課題は、お焚き上げ供養にあたって、利用者が抱える距離的、実施時期、料金確認、利便性、支払い方法の課題を解決し、お焚き上げ供養を手軽に利用できるようにすることを目的とする。
【課題を解決するための手段】前記課題を解決するため、本発明は、【０００４】利用者の所在地から神社寺院までの物品の運搬について、宅配便や郵便会社を活用した。【０００５】お焚き上げ、神社寺院への配送、お焚き上げ供養証明書発行など掛かる料金を全て体系化した。【０００６】お焚き上げ供養実施日が特に定まっていない神社寺院に依頼するようにした。【０００７】シールにお焚き上げ、神社寺院への配送、お焚き上げ供養証明書発行を含めたチケットのようなライセンスの役割をもたせた。【０００８】シールに通し番号を入れることで、偽造防止対策を施した。【０００９】お焚き上げ供養申込書を同封することで、お焚き上げ供養証明書の送付先の特定、トラブル回避を図った。
本発明は、以上の構成よりなるお焚き上げ供養のサービス方式に関するものである。
【発明の効果】
【００１０】本発明には次の効果を奏する。
（１）宅配便や郵便会社を活用することで、遠隔地からでもお焚き上げ供養できる。
（２）利用者は神社寺院のお焚き上げ供養日を気にせず、いつでも申込みができる。
（３）シール料金にお焚き上げ料金、神社寺院への送料、お焚き上げ証明書料金が含まれるため、利用者が料金を把握しやすくなる。
（４）シール料金にお焚き上げ料金、神社寺院への送料、お焚き上げ供養証明書料金が含まれるため、支払いをワンストップでできるようになり利用者は手間を軽減できる。
（５）シール料金にお焚き上げ料金、神社寺院への送料、お焚き上げ供養証明書料金が含まれるため、お焚き上げ供養したい物品を入れた箱や封筒にシールを貼るだけで、サービスを享受できる。
（６）シールにライセンス機能を持たせることで流通が容易になり、サービス提供手段が多様になる。ホームセンターなどの小売店舗でも入手できるようになり、多くの利用者が利用できる。
（７）例えば、生前整理をする利用者は、残った人に金銭的負担を掛けずに存命中、お焚き上げする物品を利用することができる。
（８）シールに通し番号を入れることで、偽装防止できるため、神社寺院は安心してお焚き上げできる。
【図面の簡単な説明】
【００１１】
【図１】シール本体を説明する正面図。
【図２】お焚き上げ供養申込書を説明する正面図。
【図３】お焚き上げ供養証明書を説明する正面図。
【符号の説明】
【００１２】  １  シール
２ａ用途
２ｂ用途
３  通し番号
４  剥離紙
５  お焚き上げ供養申込書
６  利用規約
７  記載欄
８  お焚き上げ供養証明書
【発明の実施形態】
【００１３】以下、本発明の実施形態について説明する。
図１は本発明の形態のシールの正面図である。図１に示すように、シール１は、剥離紙４に粘着された紙製の縦７０〜１００ｍｍ、横６０〜６５ｍｍの長方形のシールであり、お焚き上げ用であることを説明した表示部分２ａ、２ｂ、通し番号表示部分３からなる。
図２はお焚き上げ供養の申込書の正面図である。
図３はお焚き上げ供養証明書の正面図である。
本発明は以上のような構成である。
本発明を使用する手順は以下の通りである。
（１）利用者は、お焚き上げする物品を手持ちの箱に詰める。
（２）利用者は、お焚き上げ供養申込書５の利用規約６に同意の上、記載欄７に必要事項を記入する。
（３）利用者は、シール１を剥離紙４からはがし、箱もしくは封筒に貼付する。
（４）利用者は、箱もしくは封筒にお焚き上げ供養申込書５を同封する。
（５）利用者は、宅配便に集荷依頼もしくは郵便ポストに投函する。
（６）宅配会社もしくは郵便会社は、神社寺院にお焚き上げする物品を配達する。
（７）神社寺院は、お焚き上げする物品の到着後、シール１の貼付、お焚き上げ供養申込書５を確認し、物品をお焚き上げ供養する。
（８）供養完了後、神社寺院はお焚き上げ供養証明書８を利用者に郵送する。
（９）郵便会社は、お焚き上げ供養証明書８を利用者に届ける。
（１０）利用者の手元にお焚き上げ供養証明書８が到着する。
【図１】
2019023842.tif 000003
【図２】
2019023842.tif 000004
【図３】
2019023842.tif 000005